(57)【要約】  本発明はスマートランプの制御方法及びスマートランプの制御装置、装置、プログラム及び記録媒体に関し、スマートランプの制御の自動化及びスマート化を実現するために用いられ、前記方法は、現在シーンの状況情報を取得するステップと、前記状況情報に基づいて現在シーンが所定シーン条件を満たすか否かを判定するステップと、前記現在シーンが前記所定シーン条件を満たす場合、前記所定シーン条件に基づいて、予め記憶された発光効果データベースを検索するとともに、前記所定シーン条件に対応する発光制御指令を生成するステップと、既に生成された前記発光制御指令を前記スマートランプに送信することによって、前記スマートランプに前記所定シーン条件に対応する発光効果を実現させるステップと、を含む。本発明は、シーン状况の変化に応じて対応する制御を行なうことができるため、スマートランプの制御のスマート化を実現し、スマートランプの応用範囲を拡大させる一方、本発明を用いて、スマートランプの制御は人為的な手工操作を必要としないため、スマートランプの制御の自動化を実現し、スマートランプの制御をより便利にする。【選択図】        図１
2017500823.tif 000002
【特許請求の範囲】
【請求項１】
現在シーンの状況情報を取得するステップと、
前記状況情報に基づいて、現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む
ことを特徴とするスマートランプの制御方法。
【請求項２】
前記方法は、さらに、
ユーザにより設定された所定シーン条件、及び前記所定シーン条件に対応する発光効果パラメータを、受信して記憶するステップを含む
ことを特徴とする請求項１に記載の方法。
【請求項３】
前記状況情報は、目標連絡先の通信イベント情報を含み、
前記状況情報に基づいて、現在シーンが所定シーン条件を満たすか否かを判定するステップは、
通信イベント情報に基づいて、前記目標連絡先は特別な通信イベントが発生したか否かを判定するステップを含む
ことを特徴とする請求項１に記載の方法。
【請求項４】
前記目標連絡先の通信イベント情報は、前記目標連絡先が所定のネットワーク・プラットホームでコンテンツの共有を行なうこと、または、前記目標連絡先から送信された通信を受けることを含む
ことを特徴とする請求項３に記載の方法。
【請求項５】
前記状況情報は、目標領域における運動物体監視イベント情報を含み、
前記状況情報に基づいて現在シーンが所定シーン条件を満たすか否かを判定するステップは、
運動物体監視イベント情報に基づいて、前記目標領域における運動物体の経過をモニタリングしたか否かを判定するステップを含む
ことを特徴とする請求項１に記載の方法。
【請求項６】
前記状況情報は、目標領域におけるデバイス・アクセス・イベント情報を含み、前記デバイス・アクセス・イベント情報がデバイスの識別子及びアクセスタイミングを含み、
前記状況情報に基づいて現在シーンが所定シーン条件を満たすか否かを判定するステップは、
デバイス・アクセス・イベント情報に基づいて、特定デバイスが所定の持続時間において目標領域で１回目のアクセスをしたか否かを判定するステップを含む
ことを特徴とする請求項１に記載の方法。
【請求項７】
前記状況情報は、時間情報を含み、
前記状況情報に基づいて現在シーンが所定シーン条件を満たすか否かを判定するステップは、
時間情報に基づいて、現在時間が所定時間に達したか否かを判定するステップを含む
ことを特徴とする請求項１または６に記載の方法。
【請求項８】
前記発光効果パラメータは、
発光オン・オフ・パラメータ、光点滅回数パラメータ、発光色パラメータ、及び発光強度パラメータからなる群から選ばれた少なくとも１種を含む
ことを特徴とする請求項１に記載の方法。
【請求項９】
現在シーンの状況情報を取得するための取得モジュールと、
前記取得モジュールにより取得された状況情報に基づいて、現在シーンが所定シーン条件を満たすか否かを判定するための判定モジュールと、
前記判定モジュールにより現在シーンが前記所定シーン条件を満たすと判定された場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成するための生成モジュールと、
前記生成モジュールにより生成された前記発光制御指令を前記スマートランプに送信することによって、前記スマートランプに前記所定シーン条件に対応する発光効果を実現させるための送信モジュールと、を含む
ことを特徴とするスマートランプの制御装置。
【請求項１０】
前記装置は、さらに、
ユーザにより設定された所定シーン条件、及び前記所定シーン条件に対応する発光効果パラメータを受信して記憶するための記憶モジュールを含む
ことを特徴とする請求項９に記載の装置。
【請求項１１】
前記状況情報は、目標連絡先の通信イベント情報を含み、
前記判定モジュールは、
通信イベント情報に基づいて、前記目標連絡先は特別な通信イベントが発生したか否かを判定するための第１の判定サブモジュールを含む
ことを特徴とする請求項９に記載の装置。
【請求項１２】
前記目標連絡先の通信イベント情報は、前記目標連絡先が所定のネットワーク・プラットホームでコンテンツの共有を行なうこと、または、前記目標連絡先から送信された通信を受けることを含む
ことを特徴とする請求項１１に記載の装置。
【請求項１３】
前記状況情報は、目標領域における運動物体監視イベント情報を含み、
前記判定モジュールは、
運動物体監視イベント情報に基づいて、前記目標領域における運動物体の経過をモニタリングしたか否かを判定するための第２の判定サブモジュールを含む
ことを特徴とする請求項９に記載の装置。
【請求項１４】
前記状況情報は、目標領域におけるデバイス・アクセス・イベント情報を含み、
前記デバイス・アクセス・イベント情報は、デバイスの識別子及びアクセスタイミングを含み、
前記判定モジュールは、
デバイス・アクセス・イベント情報に基づいて、デバイスが所定の持続時間において目標領域で１回目のアクセスをしたか否かを判定するための第３の判定サブモジュールを含む
ことを特徴とする請求項９に記載の装置。
【請求項１５】
前記状況情報は、時間情報を含み、
前記判定モジュールは、
時間情報に基づいて、現在時間が所定時間に達したか否かを判定するための第４の判定サブモジュールを含む
ことを特徴とする請求項９または１４に記載の装置。
【請求項１６】
前記発光効果パラメータは、
発光オン・オフ・パラメータ、光点滅回数パラメータ、発光色パラメータ、及び発光強度パラメータからなる群から選ばれた少なくとも１種を含む
ことを特徴とする請求項１に記載の装置。
【請求項１７】
スマートランプの制御装置であって、
プロセッサと、
プロセッサにより実行可能な指令を記憶するメモリと、を備え、
前記プロセッサは、
現在シーンの状況情報を取得し、
前記状況情報に基づいて、現在シーンが所定シーン条件を満たすか否かを判定し、
前記現在シーンが前記所定シーン条件を満たす場合、前記所定シーン条件に基づいて予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成し、
既に生成された前記発光制御指令を前記スマートランプに送信することによって前記スマートランプに前記所定シーン条件に対応する発光効果を実現させる
ことを特徴とするスマートランプの制御装置。
【発明の詳細な説明】
【技術分野】
【０００１】
本願は、出願番号がＣＮ２０１４１０４８６８３４．８であって、出願日が２０１４年０９月２２日である中国特許出願に基づき優先権を主張し、当該中国特許出願のすべての内容を本願に援用する。
【０００２】
本発明は電子技術分野に関し、特に、スマートランプの制御方法及びスマートランプの制御装置に関している。
【背景技術】
【０００３】
スマートランプは制御可能な光源である。従来技術において、コントローラを用いて手動操作によってスマートランプを制御する。
【発明の概要】
【発明が解決しようとする課題】
【０００４】
これから分かるように、従来技術において、人工的の手動操作を用いなければスマートランプを制御できず、制御の自動化を実現できない。なお、従来技術におけるスマートランプの制御方式のスマート化も実現されず、シーン状況の変化に応じる制御を行うことができないため、スマートランプの応用は規制されている。
【課題を解決するための手段】
【０００５】
従来技術に存在する問題を解消するために、本発明の実施例はスマートランプの制御方法及びスマートランプの制御装置を提供することによって、スマートランプの制御の自動化及びスマート化を実現する。
【０００６】
本発明の実施例の第１の局面によれば、スマートランプの制御方法を提供し、
現在シーンの状況情報を取得するステップと、
前記状況情報に基づいて現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む。
【０００７】
一実施例では、方法は、さらに、
ユーザにより設定された所定シーン条件、及び前記所定シーン条件に対応する発光効果パラメータを、受信して記憶するステップを含む。
【０００８】
一実施例では、前記状況情報は目標連絡先の通信イベント情報を含み、
前記状況情報に基づいて現在シーンが所定シーン条件を満たすか否かを判定するステップは、
通信イベント情報に基づいて前記目標連絡先は特別な通信イベントが発生したか否かを判定するステップを含む。
【０００９】
一実施例では、前記目標連絡先の通信イベント情報は、前記目標連絡先が所定のネットワーク・プラットホームでコンテンツの共有を行なうこと、または、前記目標連絡先から送信された通信を受けることを含む。
【００１０】
一実施例では、前記状況情報は目標領域における運動物体監視イベント情報を含み、
前記状況情報に基づいて現在シーンが所定シーン条件を満たすか否かを判定するステップは、
運動物体監視イベント情報に基づいて前記目標領域における運動物体の経過をモニタリングしたか否かを判定するステップを含む。
【００１１】
一実施例では、前記状況情報は目標領域におけるデバイス・アクセス・イベント情報を含み、前記デバイス・アクセス・イベント情報がデバイスの識別子及びアクセスタイミングを含み、
前記状況情報に基づいて現在シーンが所定シーン条件を満たすか否かを判定するステップは、
デバイス・アクセス・イベント情報に基づいて特定デバイスが所定の持続時間において目標領域で１回目のアクセスをしたか否かを判定するステップを含む。
【００１２】
一実施例では、前記状況情報は時間情報を含み、
前記状況情報に基づいて現在シーンが所定シーン条件を満たすか否かを判定するステップは、
時間情報に基づいて現在時間が所定時間に達したか否かを判定するステップを含む。
【００１３】
一実施例では、前記発光効果パラメータは、
発光オン・オフ・パラメータ、光点滅回数パラメータ、発光色パラメータ、及び発光強度パラメータからなる群から選ばれた少なくとも１種を含む。
【００１４】
本発明の第２の局面によれば、スマートランプの制御装置を提供し、
現在シーンの状況情報を取得するための取得モジュールと、
前記取得モジュールにより取得された状況情報に基づいて、現在シーンが所定シーン条件を満たすか否かを判定するための判定モジュールと、
前記判定モジュールは現在シーンが前記所定シーン条件を満たすと判定した場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成するための生成モジュールと、
前記生成モジュールにより生成された前記発光制御指令を前記スマートランプに送信することによって、前記スマートランプに前記所定シーン条件に対応する発光効果を実現させるための送信モジュールと、を含む。
【００１５】
一実施例では、装置は、さらに、
ユーザにより設定された所定シーン条件、及び前記所定シーン条件に対応する発光効果パラメータを受信して記憶するための記憶モジュールを含む。
【００１６】
一実施例では、前記状況情報は目標連絡先の通信イベント情報を含み、
前記判定モジュールは、
通信イベント情報に基づいて、前記目標連絡先は特別な通信イベントが発生したか否かを判定するための第１の判定サブモジュールを含む。
【００１７】
一実施例では、前記目標連絡先の通信イベント情報は、前記目標連絡先が所定のネットワーク・プラットホームでコンテンツの共有を行なうこと、または、前記目標連絡先から送信された通信を受けることを含む。
【００１８】
一実施例では、前記状況情報は、目標領域における運動物体監視イベント情報を含み、
前記判定モジュールは、
運動物体監視イベント情報に基づいて、前記目標領域における運動物体の経過をモニタリングしたか否かを判定するための第２の判定サブモジュールを含む。
【００１９】
一実施例では、前記状況情報は目標領域におけるデバイス・アクセス・イベント情報を含み、前記デバイス・アクセス・イベント情報がデバイスの識別子及びアクセスタイミングを含み、
前記判定モジュールは、
デバイス・アクセス・イベント情報に基づいて、デバイスが所定の持続時間において目標領域で１回目のアクセスをしたか否かを判定するための第３の判定サブモジュールを含む。
【００２０】
一実施例では、前記状況情報は時間情報を含み、
前記判定モジュールは、
時間情報に基づいて現在時間が所定時間に達したか否かを判定するための第４の判定サブモジュールを含む。
【００２１】
一実施例では、前記発光効果パラメータは、
発光オン・オフ・パラメータ、光点滅回数パラメータ、発光色パラメータ、及び発光強度パラメータからなる群から選ばれた少なくとも１種を含む。
【００２２】
本発明の第３の局面によれば、スマートランプの制御装置を提供し、
プロセッサと、
プロセッサにより実行可能な指令を記憶するメモリと、を備え、
前記プロセッサは、
現在シーンの状況情報を取得し、
前記状況情報に基づいて現在シーンが所定シーン条件を満たすか否かを判定し、
前記現在シーンが前記所定シーン条件を満たす場合、前記所定シーン条件に基づいて予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成し、
既に生成された前記発光制御指令を前記スマートランプに送信することによって前記スマートランプに前記所定シーン条件に対応する発光効果を実現させる。
【発明の効果】
【００２３】
本発明の実施例に係る技術案は、以下の有益な効果を有する。シーン状况の変化に応じて対応する制御を行なうことができるため、スマートランプの制御のスマート化を実現し、スマートランプの応用範囲を拡大させる一方、本発明を用いて、スマートランプの制御は人為的な手工操作を必要としないため、スマートランプの制御の自動化を実現し、スマートランプの制御をより便利にする。
【００２４】
以上の一般的な記述及び以下の詳細な記述は、例示のものに過ぎず、本開示を限定するものではないと理解すべきである。
【図面の簡単な説明】
【００２５】
ここでの図面は、本明細書の一部として、本発明に適切な実施例を示し、明細書と合わせて本発明の原理を解釈する。
【図１】例示的な実施例におけるスマートランプの制御方法を示すフローチャートである。
【図２】例示的な実施例１におけるスマートランプの制御方法を示すフローチャートである。
【図３】例示的な実施例１におけるスマートランプの制御方法の応用シーンを示す図である。
【図４】例示的な実施例２におけるスマートランプの制御方法を示すフローチャートである。
【図５】例示的な実施例２におけるスマートランプの制御方法の応用シーンを示す図である。
【図６】例示的な実施例３におけるスマートランプの制御方法を示すフローチャートである。
【図７】例示的な実施例３におけるスマートランプの制御方法の応用シーンを示す図である。
【図８】例示的な実施例４におけるスマートランプの制御方法を示すフローチャートである。
【図９】例示的な実施例４におけるスマートランプの制御方法の応用シーンを示す図である。
【図１０】例示的な実施例におけるスマートランプの制御装置を示すブロック図である。
【図１１】例示的な実施例における他のスマートランプの制御装置を示すブロック図である。
【図１２】例示的な実施例におけるスマートランプに適用する制御装置を示すブロック図（端末装置の一般的な構造）である。
【発明を実施するための形態】
【００２６】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２７】
図１は例示的な実施例におけるスマートランプの制御方法を示すフローチャートである。該方法は、例えば、クラウドサーバー、ルーター、パーソナルコンピュータ、端末装置に用いられる。図１に示すように、該方法は以下のステップを含む。
【００２８】
ステップＳ１０１において、現在シーンの状況情報を取得する。
【００２９】
ステップＳ１０１において、他の装置から現在シーンの状況情報を取得することもできるし、ローカルから現在シーンの状況情報を取得することもできる。この点については、本発明は特に限定しない。
【００３０】
ステップＳ１０２において、状況情報に基づいて、現在シーンが所定シーン条件を満たすか否かを判定する。
【００３１】
一実施例では、上記方法はさらに、ユーザにより設定された所定シーン条件及び所定シーン条件に対応する発光効果パラメータを受信して記憶する。例を挙げて言えば、ユーザは、端末のアプリに所定シーン条件及び所定シーン条件に対応する発光効果パラメータを設定し、端末は、設定された所定シーン条件及び発光効果パラメータを送信し、端末から送信された所定シーン条件及び所定シーン条件に対応する発光効果パラメータを受信して記憶する。
【００３２】
本実施例において、他の方式にて、所定シーン条件及び所定シーン条件に対応する発光効果パラメータを得ることもできる。例えば、ローカルプロファイルを読み取って、プロファイルにおける所定シーン条件及び所定シーン条件に対応する発光効果パラメータを取得する。
【００３３】
一実施例では、状況情報は目標連絡先の通信イベント情報を含んでもよい。上記ステップＳ１０２は、通信イベント情報に基づいて目標連絡先は特別な通信イベントが生じたか否かを判定するステップを含んでもよい。
【００３４】
例を挙げて言えば、目標連絡先の通信イベント情報は、目標連絡先が所定のネットワーク・プラットホームでンテンツの共有を行うこと、又は、目標連絡先から送信された通信を受けることを含む。例えば、所定のネットワーク・プラットホームが所定のソーシャル・ネットワーキング・サイトであり、目標連絡先が所定アカウントであり、共有コンテンツが文章の発表である場合、所定シーン条件は所定のソーシャル・ネットワーキング・サイトの所定アカウントが文章を発表することとなる。ステップＳ１０１において、所定ソーシャル・ネットワーキング・サイトから送信された、所定アカウントが該ソーシャル・ネットワーキング・サイトで文章を発表するという通信イベント情報を、受信する。ステップＳ１０２において、通信イベント情報に基づいて、所定アカウントが所定ソーシャル・ネットワーキング・サイトで文章を発表したことを判定し、現在シーンの状況情報が所定シーン条件を満たすことを特定する。また、例えば、所定シーン条件は目標連絡先が通信を送信することである場合、ステップＳ１０１において、目標連絡先から送信された通信を受信したというイベント情報を取得し、ステップＳ１０２において、取得された通信イベント情報に基づいて、目標連絡先から送信された通信を受信したことを判定し、現在シーンの状況情報が所定シーン条件を満たすことを特定する。
【００３５】
一実施例では、状況情報は、目標領域における運動物体監視イベント情報を含む。上記ステップＳ１０２は、運動物体監視イベント情報に基づいて、目標領域における運動物体の経過をモニタリングしたか否かを判定する。例えば、所定シーン条件は目標領域における人の経過を検出したことである場合、ステップＳ１０１において、目標領域におけるモニターから送信された、人の経過を検出したという運動物体監視イベント情報を受信する。ステップＳ１０２において、運動物体監視イベント情報に基づいて、目標領域に人の経過をモニタリングしたことを判定し、現在シーンが所定シーン条件を満たすことを特定する。
【００３６】
一実施例では、状況情報は、目標領域における、デバイスの識別子及びアクセスタイミングを含むデバイス・アクセス・イベント情報を、含む。ステップＳ１０２は、デバイス・アクセス・イベント情報に基づいて、特定デバイスが所定の持続時間において目標領域で１回目のアクセスをしたか否かを判定する。例えば、所定シーン条件は、特定スマートブレスレットを装着するユーザが家に帰ることである場合、ステップＳ１０１において、家に位置するスマートボックスから送信された、スマートブレスレットがアクセスしたというデバイス・アクセス・イベント情報を受信し、当該デバイス・アクセス・イベント情報は、アクセスしたスマートブレスレットのＩＤ及びアクセスタイミングを含む。ステップＳ１０２において、デバイス・アクセス・イベント情報に含まれた、アクセスしたスマートブレスレットのＩＤ及びアクセスタイミングに基づいて、ユーザの装着するスマートブレスレットが所定の持続時間において家で１回目のアクセスをしたか否かを判定し、ユーザの装着するスマートブレスレットが所定の持続時間において家で１回目のアクセスをしたと判定された場合、現在シーンが所定シーン条件を満たすことを特定する。
【００３７】
一実施例では、状況情報は時間情報を含む。ステップＳ１０２は、時間情報に基づいて現在時間が所定時間に達したか否かを判定するステップを含んでもよい。
【００３８】
例を挙げて言えば、ステップＳ１０２において、デバイス・アクセス・イベント情報に基づいて、特定デバイスが所定の持続時間において目標領域で１回目のアクセスをしたと判定した後、時間情報に基づいて現在時間が所定時間に達したか否かを判定し、現在時間が所定時間に達したと判定された場合、現在シーンが所定シーン条件を満たすと特定する。
【００３９】
また、例えば、所定シーン条件は現在時間が所定時間に達することである場合、ステップＳ１０２において、時間情報に基づいて現在時間が所定時間に達したと判定された場合、現在シーンが所定シーン条件を満たすと特定する。
【００４０】
上記の実施例は例示的な説明だけであり、本実施例におけるステップＳ１０２の実現方式はこれらに限らない。
【００４１】
ステップＳ１０３において、現在シーンが所定シーン条件を満たすと特定された場合、所定シーン条件に基づいて、予め記憶された発光効果データベースを検索するとともに、所定シーン条件に対応する発光制御指令を生成する。
【００４２】
ここで、発光制御指令はスマートランプに所定発光効果を実現させるための発光効果パラメータを含み、発光効果データベースは所定シーン条件及びそれぞれの所定シーン条件に対応する発光効果パラメータを複数含む。
【００４３】
一実施例では、発光効果パラメータは、発光オン・オフのパラメータ、光点滅回数パラメータ、発光色パラメータ、及び発光強度パラメータからなる群から選ばれた少なくとも１種を含む。
【００４４】
ステップＳ１０４において、既に生成された発光制御指令をスマートランプに送信することによって、スマートランプに所定シーン条件に対応する発光効果を実現させる。
【００４５】
本発明の実施例に係る技術案は、以下の有益な効果を有する。シーン状况の変化に応じて対応する制御を行なうことができるため、スマートランプの制御のスマート化を実現し、スマートランプの応用範囲を拡大させる一方、スマートランプの制御は人為的な手工操作を必要としないため、スマートランプの制御の自動化を実現し、スマートランプの制御をより便利にする。
【００４６】
実施例１
図２は例示的な実施例１におけるスマートランプの制御方法を示すフローチャートである。図３は例示的な実施例１におけるスマートランプの制御方法の応用シーンを示す図である。図３に示すように、実施例１は以下のようなシーンに応用されている。クラウドサーバーはネットワークを介してソーシャル・ネットワーキング・サイトＢ、端末、及びスマートランプＬ１に接続されており、ユーザは端末のアプリに、アカウントＡが該ソーシャル・ネットワーキング・サイトＢで文章を発表すると、対応する発光効果パラメータがｎ１回点滅するという所定シーン条件を設定する。実施例１に関わる方法はクラウドサーバーに用いられ、以下のステップを含む。
【００４７】
ステップＳ２０１において、端末から送信された所定シーン条件及び所定シーン条件に対応する発光効果パラメータを受信して、発光効果データベースに記憶する。
【００４８】
ステップＳ２０２において、ソーシャル・ネットワーキング・サイトＢから送信された、アカウントＡがソーシャル・ネットワーキング・サイトＢで文章を発表する通信イベント情報を、受信する。
【００４９】
ステップＳ２０３において、受信された通信イベント情報に基づいて、アカウントＡはソーシャル・ネットワーキング・サイトＢで文章を発表するという通信イベントが発生したと判定し、現在シーンが所定シーン条件を満たすと特定する。
【００５０】
ステップＳ２０４において、所定シーン条件に基づいて、予め記憶された発光効果データベースを検索し、発光効果パラメータがｎ１回点滅することであると検索された場合、ｎ１回点滅する発光効果パラメータを含む発光制御指令を生成する。
【００５１】
ステップＳ２０５において、既に生成した発光制御指令をスマートランプＬ１に送信することによって、スマートランプＬ１をｎ１回点滅させる。
【００５２】
実施例１は以下のような有益な効果を有する。目標連絡先が所定ウェブサイトで文章を発表すると、スマートランプを点滅させるように制御することによって、ユーザに目標連絡先が文章を発表したことを提示でき、ユーザが目標連絡先の所定ウェブサイトで発表した文章を即時に閲覧することに役立てる。実施例１において、スマートランプの制御をウェブサイトでの文章の発表と関連付けて、スマートランプの応用範囲をさらに拡大させることができる。
【００５３】
実施例２
図４は例示的な実施例２におけるスマートランプの制御方法を示すフローチャートである。図５は例示的な実施例２におけるスマートランプの制御方法の応用シーンを示す図である。図５に示すように、実施例２は以下のシーンに応用されている。クラウドサーバーはネットワークを介してモニター、端末、及びスマートランプＬ１に接続されており、ユーザは端末のアプリに、人の経過をモニタリングすると対応するランプの発光効果としてスマートランプＬ１をｎ２回点滅させるという所定のシーンを設定する。実施例２に係わる方法はクラウドサーバーに用いられ、以下のステップを含む。
【００５４】
ステップＳ４０１において、端末から送信された所定シーン条件及び所定シーン条件に対応する発光効果パラメータを受信して、発光効果データベースに記憶する。
【００５５】
ステップＳ４０２において、目標領域に設置されているモニターから送信された運動物体監視イベント情報を受信する。
【００５６】
ステップＳ４０３において、受信された運動物体監視イベント情報に基づいて、目標領域における人の経過をモニタリングしたと判定し、現在シーンが所定シーン条件を満たすと特定する。
【００５７】
ステップＳ４０４において、所定シーン条件に基づいて、予め記憶された発光効果データベースを検索し、発光効果パラメータがｎ２回点滅すると検索された場合、ｎ２回点滅する発光効果パラメータを含む発光制御指令を生成する。
【００５８】
ステップＳ４０５において、既に生成された発光制御指令をスマートランプＬ１に送信することによって、スマートランプＬ１をｎ２回点滅させる。
【００５９】
実施例２は以下の有益な効果を有する。人の経過を検出すると、スマートランプを点滅させるよう制御することによって、人が経過する際に警報し、マートホームを実現する。
【００６０】
実施例３
図６は例示的な実施例３におけるスマートランプの制御方法を示すフローチャートである。図７は例示的な実施例３におけるスマートランプの制御方法の応用シーンを示す図である。図７に示すように、実施例３は以下のシーンに応用されている。クラウドサーバーはネットワークを介して、ブルートゥース通信装置を有するスマートボックス、端末、及びスマートランプＬ１に接続されており、スマートボックスはユーザの家に設置されてあり、ユーザは端末のアプリに、ブルートゥース通信装置を備えるスマートブレスレットＣを携帯するユーザが家に帰り、且つ、時間が所定時刻Ｔ１に達すると、対応する発光効果としてスマートランプＬ１をオンにするという所定シーン条件を設定する。実施例３に係わる方法はクラウドサーバーに用いられ、以下のステップを含む。
【００６１】
ステップＳ６０１において、端末から送信された所定シーン条件及び所定シーン条件に対応する発光効果パラメータを受信して、発光効果データベースに記憶する。
【００６２】
ステップＳ６０２において、家に設置されているスマートボックスから送信されたデバイス・アクセス・イベント情報を受信するとともに時間情報を取得する。
【００６３】
ここで、デバイス・アクセス・イベント情報は、スマートブレスレットの識別子及びアクセスタイミングを含む。
【００６４】
例を挙げて言えば、スマートブレスレットがスマートボックスに近づくと、スマートブレスレットがスマートボックスにアクセスし、スマートブレスレットの識別子、例えば、種類及び番号である識別子、及びアクセスタイミングは取得されて、スマートブレスレットの識別子及びアクセスタイミングを含むデバイス・アクセス・イベント情報は生成される。
【００６５】
ステップＳ６０３において、デバイス・アクセス・イベント情報に基づいて、スマートブレスレットＣが所定の持続時間において家で１回目のアクセスをしたか否かを判定し、スマートブレスレットＣが所定の持続時間において家で１回目のアクセスをしたと判定された場合、ステップＳ６０４を実行する。
【００６６】
ステップＳ６０４において、時間情報に基づいて現在時間が所定時間Ｔ１に達したか否かを判定し、現在時間が所定時間Ｔ１に達したと判定された場合、現在シーンが所定シーン条件を満たすと特定する。
【００６７】
ステップＳ６０５において、所定シーン条件に基づいて予め記憶された発光効果データベースを検索し、発光効果パラメータがスマートランプをオンにすることであると検索された場合、スマートランプをオンにする発光効果パラメータを含む発光制御指令を生成する。
【００６８】
ステップＳ６０６において、既に生成された発光制御指令をスマートランプＬ１に送信することによってスマートランプＬ１をオンにする。
【００６９】
実施例３は以下の有益な効果を有する。ユーザが家に帰ったと検出された場合、所定時刻にスマートランプをオンにするよう制御することができ、これにより、ユーザが家に帰った後、自動的にスマートランプをオンにして照明することができる。実施例３において、照明のスマート化を実現し、スマートホームを実現する。
【００７０】
実施例４
図８は例示的な実施例４におけるスマートランプの制御方法を示すフローチャートである。図９は例示的な実施例４におけるスマートランプの制御方法の応用シーンを示す図である。図９に示すように、実施例４は以下のシーンに応用されている。クラウドサーバーはネットワークを介して端末及びスマートランプＬ１に接続されており、ユーザは端末のアプリに、時間が所定時刻Ｔ２に達すると対応する発光効果としてスマートランプＬ１をｎ４回点滅させることであるという所定シーン条件を、設定する。実施例４に係わる方法はクラウドサーバーに用いられ、以下のステップを含む。
【００７１】
ステップＳ８０１において、端末から送信された所定シーン条件及び所定シーン条件に対応する発光効果パラメータを受信して、発光効果データベースに記憶する。
【００７２】
ステップＳ８０２において、現在時刻の時間情報を取得する。
【００７３】
ステップＳ８０３において、時間情報における時間が所定時刻Ｔ２と同じである場合、現在シーンが所定シーン条件を満たすと判定する。
【００７４】
ステップＳ８０４において、所定シーン条件に基づいて、予め記憶された発光効果データベースを検索し、発光効果パラメータがｎ４回点滅することであると検索された場合、ｎ４回点滅するという発光効果パラメータを含む発光制御指令を生成する。
【００７５】
ステップＳ８０５において、既に生成された発光制御指令をスマートランプＬ１に送信することによってスマートランプＬ１をｎ４回点滅させる。
【００７６】
実施例４は以下の有益な効果を有する。時間が所定時刻に達した場合、スマートランプを点滅させるように制御することによって、クロックの機能を実現し、スマートランプの応用範囲を更に拡大させる。
【００７７】
上記実施例１〜４において、方法がクラウドサーバーに応用されることを例として説明を行なっているが、本発明に係わる方法はこれらに限られなく、様々なデバイスに用いられる。この点については、本発明は特に規制しない。上記実施例１〜４において、発行効果が光を点滅させること、及び光をオンにすることを例として説明を行なっているが、本発明に係る発光効果はこれらに限られなく、多くの効果を含むことができる。この点については、本発明は特に規制しない。
【００７８】
なお、複数の所定シーン条件を同時に設定してもよい。本発明に係わる方法は次のように実現可能である。現在シーンの状況情報を取得し、状況情報に基づいて現在シーンが所定シーン条件を満たすか否かを判定し、現在シーンが前記所定シーン条件を満たすと判定された場合、その満たす所定シーン条件に対応する発光効果に基づいてスマートランプを制御する。
【００７９】
図１０は、例示的な実施例におけるスマートランプの制御装置を示すブロック図である。装置は、
現在シーンの状況情報を取得するように構成される取得モジュール１０１と、
取得モジュール１０１の取得した状況情報に基づいて、現在シーンが所定シーン条件を満たすか否かを判定するように構成される判定モジュール１０２と、
判定モジュール１０２が現在シーンが前記所定シーン条件を満たすと判定した場合、所定シーン条件に基づいて、予め記憶された発光効果データベースを検索するとともに所定シーン条件に対応する発光制御指令を生成するように構成される生成モジュール１０３と、を含む。
【００８０】
ここで、発光制御指令はスマートランプに所定発光効果を実現させるための発光効果パラメータを含み、発光効果データベースは所定シーン条件およびそれぞれの所定シーン条件に対応する発光効果パラメータを複数含む。
【００８１】
送信モジュール１０４は、生成モジュール１０３により生成された発光制御指令をスマートランプに送信することによって、スマートランプに所定シーン条件に対応する発光効果を実現させるように構成される。
【００８２】
一実施例では、図１１に示すように、装置はさらに、
ユーザにより設定される所定シーン条件及び所定シーン条件に対応する発光効果パラメータを受信して記憶するように構成される記憶モジュール１１１を含む。
【００８３】
一実施例では、状況情報は目標連絡先の通信イベント情報を含んでもよい。
【００８４】
判定モジュールは、
通信イベント情報に基づいて、目標連絡先は特別な通信イベントが発生したか否かを判定するように構成される第１の判定サブモジュールを含んでもよい。
【００８５】
一実施例では、目標連絡先の通信イベント情報は、目標連絡先が所定のネットワーク・プラットホームでコンテンツの共有を行なうこと、または、目標連絡先から送信された通信を受けることを含んでもよい。
【００８６】
一実施例では、状況情報は、目標領域における運動物体監視イベント情報を含んでもよい。
【００８７】
判定モジュールは、
運動物体監視イベント情報に基づいて目標領域における運動物体の経過をモニタリングしたか否かを判定するように構成される第２の判定サブモジュールを含んでもよい。
【００８８】
一実施例では、状況情報は、目標領域における、デバイスの識別子及びアクセスタイミングを含むデバイス・アクセス・イベント情報を含んでもよい。
【００８９】
判定モジュールは、
デバイス・アクセス・イベント情報に基づいて、特定デバイスが所定の持続時間において目標領域で１回目のアクセスをしたか否かを判定するように構成される第３の判定サブモジュールを含んでもよい。
【００９０】
一実施例では、状況情報は時間情報を含んでもよい。
【００９１】
判定モジュールは、
時間情報に基づいて現在時間が所定時間に達したか否かを判定するように構成される第４の判定サブモジュールを含んでもよい。
【００９２】
一実施例では、発光効果パラメータは、
発光オン・オフ・パラメータ、光点滅回数パラメータ、発光色パラメータ、及び発光強度パラメータからなる群から選ばれた少なくとも１種を含んでもよい。
【００９３】
本発明の実施例に係る技術案は以下の有益な効果を有する。シーン状况の変化に応じて対応する制御を行なうことができるため、スマートランプの制御のスマート化を実現し、スマートランプの応用範囲を拡大させる一方、本発明を用いて、スマートランプの制御は人為的な手工操作を必要としないため、スマートランプの制御の自動化を実現し、スマートランプの制御をより便利にする。
【００９４】
上記実施例に係る装置に関しては、その各モジュールが操作を実行する具体的な方式は既に該方法に係る実施例において詳細に記載されているので、ここに詳細に説明しない。
【００９５】
図１２は例示的な実施例におけるスマートランプの制御装置１２００を示すブロック図であり、該装置は端末装置に適用している。例えば、装置１２００は携帯電話、コンピュータ、デジタル放送端末、メッセージ受発信手段、ゲームコンソール、タブレットデバイス、医療機器、フィットネス機器、パーソナルデジタルアシスタント等であってもよい。
【００９６】
図１２を参照して、装置１２００は、処理アセンブリ１２０２、メモリ１２０４、電源アセンブリ１２０６、マルチメディアアセンブリ１２０８、オーディオアセンブリ１２１０、Ｉ／Ｏインターフェイス（入力／出力インターフェース）１２１２、センサアセンブリ１２１４、及び通信アセンブリ１２１６のような一つ以上のアセンブリを含んでよい。
【００９７】
処理アセンブリ１２０２は、一般的には装置１２００の全体の操作を制御するものであり、例えば、表示、電話呼び出し、データ通信、カメラ操作、及び記録操作と関連する操作を制御する。処理アセンブリ１２０２は、一つ以上のプロセッサ１２２０を含み、これらによって命令を実行することにより、上記方法の全部、或は一部のステップを実現するようにしてもよい。なお、処理アセンブリ１２０２は、一つ以上のモジュールを含み、これらによって処理アセンブリ１２０２と他のアセンブリの間のインタラクションを容易にするようにしてもよい。例えば、処理アセンブリ１２０２は、マルチメディアモジュールを含み、これらによってマルチメディアアセンブリ１２０８と処理アセンブリ１２０２の間のインタラクションを容易にするようにしてもよい。
【００９８】
メモリ１２０４は、各種類のデータを記憶することにより装置１２００の操作を支援するように構成される。これらのデータの例は、装置１２００において操作されるいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００９９】
電源アセンブリ１２０６は、装置１２００の多様なアセンブリに電力を供給する。電源アセンブリ１２０６は、電源管理システム、一つ以上の電源、及び装置１２００のための電力の生成、管理及び割り当てに関連する他のアセンブリを含んでもよい。
【０１００】
マルチメディアアセンブリ１２０８は、前記装置１２００とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記実施例において、マルチメディアアセンブリ１２０８は、一つのフロントカメラ、及び／又はリアーカメラを含む。装置１２００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１０１】
オーディオアセンブリ１２１０は、オーディオ信号をインターフェースするように構成されてもよい。例えば、オーディオアセンブリ１２１０は、一つのマイク（ＭＩＣ）を含み、装置１２００、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信アセンブリ１２１６を介して送信されたりされる。上記実施例において、オーディオアセンブリ１２１０は、オーディオ信号を出力するための一つのスピーカーをさらに含む。
【０１０２】
Ｉ／Ｏインターフェイス（入力／出力インターフェース）１２１２は、処理アセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０３】
センサアセンブリ１２１４は、装置１２００に各方面の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、或は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ図像センサのような光センサを含んでもよい。上記実施例において、当該センサアセンブリ１２１４は、加速度センサ、ジャイロスコープセンサ、磁気センサ、圧力センサ、及び温度センサをさらに含んでもよい。
【０１０４】
通信アセンブリ１２１６は、装置１２００と他の機器の間に有線、又は无線形態の通信を提供する。装置１２００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１０５】
例示的な実施例において、装置１２００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１０６】
例示的な実施例において、さらに、命令を含む非一時的なコンピュータで読み取り可能な記憶媒体、例えば命令を含むメモリ１２０４を提供しており、装置１２００のプロセッサ１２２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１０７】
スマートランプの制御装置であって、
プロセッサと、
プロセッサにより実行可能な指令を記憶するメモリと、を備え、
前記プロセッサは、
現在シーンの状況情報を取得し、
前記状況情報に基づいて現在シーンが所定シーン条件を満たすか否かを判定し、
前記現在シーンが前記所定シーン条件を満たす場合、前記所定シーン条件に基づいて予め記憶された、所定シーン条件およびそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成し、
既に生成された前記発光制御指令を前記スマートランプに送信することによって、前記スマートランプに前記所定シーン条件に対応する発光効果を達成させる。
【０１０８】
該プロセッサは、さらに、
ユーザにより設定された所定シーン条件、及び前記所定シーン条件に対応する発光効果パラメータを受信して記憶するように構成されている。
【０１０９】
前記状況情報は目標連絡先の通信イベント情報を含む。
【０１１０】
該プロセッサは、通信イベント情報に基づいて前記目標連絡先は特別な通信イベントが発生したか否かを判定するように構成されてもよい。
【０１１１】
前記状況情報は、目標領域における運動物体監視イベント情報を含む。
【０１１２】
該プロセッサは、運動物体監視イベント情報に基づいて、前記目標領域における運動物体の経過をモニタリングしたか否かを判定するように構成されてもよい。
【０１１３】
前記状況情報は、目標領域におけるデバイス・アクセス・イベント情報を含み、前記デバイス・アクセス・イベント情報がデバイスの識別子及びアクセスタイミングを含む。
【０１１４】
該プロセッサは、デバイス・アクセス・イベント情報に基づいて、特定デバイスが所定の持続時間において目標領域で１回目のアクセスをしたか否かを判定するように構成されてもよい。
【０１１５】
前記状況情報は時間情報を含む。
【０１１６】
該プロセッサは、時間情報に基づいて現在時間が所定時間に達したか否かを判定するように構成されてもよい。
【０１１７】
非一時的なコンピュータで読み取り可能な記憶媒体は、前記記録媒体のコマンドがモバイル端末のプロセッサによって実行される際に、モバイル端末にスマートランプの制御方法を実行させることができる。前記方法は、
現在シーンの状況情報を取得するステップと、
前記状況情報に基づいて現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む。
【０１１８】
前記方法は、さらに、
ユーザにより設定された所定シーン条件、及び前記所定シーン条件に対応する発光効果パラメータを受信して記憶するステップを含む。
【０１１９】
前記状況情報は、目標連絡先の通信イベント情報を含む。
【０１２０】
前記状況情報に基づいて現在シーンが所定シーン条件を満たすか否かを判定するステップは、
通信イベント情報に基づいて前記目標連絡先は特別な通信イベントが発生したか否かを判定するステップを含んでもよい。
【０１２１】
前記目標連絡先の通信イベント情報は、前記目標連絡先が所定のネットワーク・プラットホームでコンテンツの共有を行なうこと、または、前記目標連絡先から送信された通信を受信することを含んでもよい。
【０１２２】
前記状況情報は、目標領域における運動物体監視イベント情報を含む。
【０１２３】
前記根据前記状況情報に基づいて現在シーンが所定シーン条件を満たすか否かを判定するステップは、
運動物体監視イベント情報に基づいて、前記目標領域における運動物体の経過をモニタリングしたか否かを判定するステップを含む。
【０１２４】
前記状況情報は、目標領域におけるデバイス・アクセス・イベント情報を含んでもよく、前記デバイス・アクセス・イベント情報がデバイスの識別子とアクセスタイミングを含んでもよい。
【０１２５】
前記状況情報に基づいて現在シーンが所定シーン条件を満たすか否かを判定するステップは、
デバイス・アクセス・イベント情報に基づいて特定デバイスが所定の持続時間において目標領域で１回目のアクセスをしたか否かを判定するステップを含む。
【０１２６】
前記状況情報は時間情報を含んでもよい。
【０１２７】
前記状況情報に基づいて現在シーンが所定シーン条件を満たすか否かを判定するステップは、
時間情報は現在時間が所定時間に達したか否かを判定するステップを含んでもよい。
【０１２８】
前記発光効果パラメータは、
発光オン・オフ・パラメータ、光点滅回数パラメータ、発光色パラメータ、及び発光強度パラメータからなる群から選ばれた少なくとも１種を含む。
【０１２９】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３０】
本発明は、上記において開示された構成又は図面に示した構造に限定されるものではなく、本発明の範囲内であれば、様々な補正又は変更を行うことができる。本発明の範囲は、特許請求の範囲により制限される。
【図１】
2017500823.tif 000003
【図２】
2017500823.tif 000004
【図３】
2017500823.tif 000005
【図４】
2017500823.tif 000006
【図５】
2017500823.tif 000007
【図６】
2017500823.tif 000008
【図７】
2017500823.tif 000009
【図８】
2017500823.tif 000010
【図９】
2017500823.tif 000011
【図１０】
2017500823.tif 000012
【図１１】
2017500823.tif 000013
【図１２】
2017500823.tif 000014
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
現在シーンの状況情報を取得するステップと、
前記状況情報に基づいて、現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む
ことを特徴とするスマートランプの制御方法。
【請求項２】
前記方法は、さらに、
ユーザにより設定された所定シーン条件、及び前記所定シーン条件に対応する発光効果パラメータを、受信して記憶するステップを含む
ことを特徴とする請求項１に記載の方法。
【請求項３】
前記状況情報は、目標連絡先の通信イベント情報を含み、
前記状況情報に基づいて、現在シーンが所定シーン条件を満たすか否かを判定するステップは、
通信イベント情報に基づいて、前記目標連絡先は特別な通信イベントが発生したか否かを判定するステップを含む
ことを特徴とする請求項１に記載の方法。
【請求項４】
前記目標連絡先の通信イベント情報は、前記目標連絡先が所定のネットワーク・プラットホームでコンテンツの共有を行なうこと、または、前記目標連絡先から送信された通信を受けることを含む
ことを特徴とする請求項３に記載の方法。
【請求項５】
前記状況情報は、目標領域における運動物体監視イベント情報を含み、
前記状況情報に基づいて現在シーンが所定シーン条件を満たすか否かを判定するステップは、
運動物体監視イベント情報に基づいて、前記目標領域における運動物体の経過をモニタリングしたか否かを判定するステップを含む
ことを特徴とする請求項１に記載の方法。
【請求項６】
前記状況情報は、目標領域におけるデバイス・アクセス・イベント情報を含み、前記デバイス・アクセス・イベント情報がデバイスの識別子及びアクセスタイミングを含み、
前記状況情報に基づいて現在シーンが所定シーン条件を満たすか否かを判定するステップは、
デバイス・アクセス・イベント情報に基づいて、特定デバイスが所定の持続時間において目標領域で１回目のアクセスをしたか否かを判定するステップを含む
ことを特徴とする請求項１に記載の方法。
【請求項７】
前記状況情報は、時間情報を含み、
前記状況情報に基づいて現在シーンが所定シーン条件を満たすか否かを判定するステップは、
時間情報に基づいて、現在時間が所定時間に達したか否かを判定するステップを含む
ことを特徴とする請求項１または６に記載の方法。
【請求項８】
前記発光効果パラメータは、
発光オン・オフ・パラメータ、光点滅回数パラメータ、発光色パラメータ、及び発光強度パラメータからなる群から選ばれた少なくとも１種を含む
ことを特徴とする請求項１に記載の方法。
【請求項９】
現在シーンの状況情報を取得するための取得モジュールと、
前記取得モジュールにより取得された状況情報に基づいて、現在シーンが所定シーン条件を満たすか否かを判定するための判定モジュールと、
前記判定モジュールにより現在シーンが前記所定シーン条件を満たすと判定された場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成するための生成モジュールと、
前記生成モジュールにより生成された前記発光制御指令を前記スマートランプに送信することによって、前記スマートランプに前記所定シーン条件に対応する発光効果を実現させるための送信モジュールと、を含む
ことを特徴とするスマートランプの制御装置。
【請求項１０】
前記装置は、さらに、
ユーザにより設定された所定シーン条件、及び前記所定シーン条件に対応する発光効果パラメータを受信して記憶するための記憶モジュールを含む
ことを特徴とする請求項９に記載の装置。
【請求項１１】
前記状況情報は、目標連絡先の通信イベント情報を含み、
前記判定モジュールは、
通信イベント情報に基づいて、前記目標連絡先は特別な通信イベントが発生したか否かを判定するための第１の判定サブモジュールを含む
ことを特徴とする請求項９に記載の装置。
【請求項１２】
前記目標連絡先の通信イベント情報は、前記目標連絡先が所定のネットワーク・プラットホームでコンテンツの共有を行なうこと、または、前記目標連絡先から送信された通信を受けることを含む
ことを特徴とする請求項１１に記載の装置。
【請求項１３】
前記状況情報は、目標領域における運動物体監視イベント情報を含み、
前記判定モジュールは、
運動物体監視イベント情報に基づいて、前記目標領域における運動物体の経過をモニタリングしたか否かを判定するための第２の判定サブモジュールを含む
ことを特徴とする請求項９に記載の装置。
【請求項１４】
前記状況情報は、目標領域におけるデバイス・アクセス・イベント情報を含み、
前記デバイス・アクセス・イベント情報は、デバイスの識別子及びアクセスタイミングを含み、
前記判定モジュールは、
デバイス・アクセス・イベント情報に基づいて、デバイスが所定の持続時間において目標領域で１回目のアクセスをしたか否かを判定するための第３の判定サブモジュールを含む
ことを特徴とする請求項９に記載の装置。
【請求項１５】
前記状況情報は、時間情報を含み、
前記判定モジュールは、
時間情報に基づいて、現在時間が所定時間に達したか否かを判定するための第４の判定サブモジュールを含む
ことを特徴とする請求項９または１４に記載の装置。
【請求項１６】
前記発光効果パラメータは、
発光オン・オフ・パラメータ、光点滅回数パラメータ、発光色パラメータ、及び発光強度パラメータからなる群から選ばれた少なくとも１種を含む
ことを特徴とする請求項９に記載の装置。
【請求項１７】
スマートランプの制御装置であって、
プロセッサと、
プロセッサにより実行可能な指令を記憶するメモリと、を備え、
前記プロセッサは、
現在シーンの状況情報を取得し、
前記状況情報に基づいて、現在シーンが所定シーン条件を満たすか否かを判定し、
前記現在シーンが前記所定シーン条件を満たす場合、前記所定シーン条件に基づいて予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成し、
既に生成された前記発光制御指令を前記スマートランプに送信することによって前記スマートランプに前記所定シーン条件に対応する発光効果を実現させる
ことを特徴とするスマートランプの制御装置。
【請求項１８】
プロセッサに実行されることにより、請求項１から請求項８のいずれかに記載の方法を実現することを特徴とするプログラム。
【請求項１９】
請求項１８に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ２０１４１０４８６８３４．８であって、出願日が２０１４年０９月２２日である中国特許出願に基づき優先権を主張し、当該中国特許出願のすべての内容を本願に援用する。
【０００２】
本発明は電子技術分野に関し、特に、スマートランプの制御方法及びスマートランプの制御装置、プログラム及び記録媒体に関している。
【背景技術】
【０００３】
スマートランプは制御可能な光源である。従来技術において、コントローラを用いて手動操作によってスマートランプを制御する。
【発明の概要】
【発明が解決しようとする課題】
【０００４】
これから分かるように、従来技術において、人工的の手動操作を用いなければスマートランプを制御できず、制御の自動化を実現できない。なお、従来技術におけるスマートランプの制御方式のスマート化も実現されず、シーン状況の変化に応じる制御を行うことができないため、スマートランプの応用は規制されている。
【課題を解決するための手段】
【０００５】
従来技術に存在する問題を解消するために、本発明の実施例はスマートランプの制御方法及びスマートランプの制御装置、プログラム及び記録媒体を提供することによって、スマートランプの制御の自動化及びスマート化を実現する。
【０００６】
本発明の実施例の第１の局面によれば、スマートランプの制御方法を提供し、
現在シーンの状況情報を取得するステップと、
前記状況情報に基づいて現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む。
【０００７】
一実施例では、方法は、さらに、
ユーザにより設定された所定シーン条件、及び前記所定シーン条件に対応する発光効果パラメータを、受信して記憶するステップを含む。
【０００８】
一実施例では、前記状況情報は目標連絡先の通信イベント情報を含み、
前記状況情報に基づいて現在シーンが所定シーン条件を満たすか否かを判定するステップは、
通信イベント情報に基づいて前記目標連絡先は特別な通信イベントが発生したか否かを判定するステップを含む。
【０００９】
一実施例では、前記目標連絡先の通信イベント情報は、前記目標連絡先が所定のネットワーク・プラットホームでコンテンツの共有を行なうこと、または、前記目標連絡先から送信された通信を受けることを含む。
【００１０】
一実施例では、前記状況情報は目標領域における運動物体監視イベント情報を含み、
前記状況情報に基づいて現在シーンが所定シーン条件を満たすか否かを判定するステップは、
運動物体監視イベント情報に基づいて前記目標領域における運動物体の経過をモニタリングしたか否かを判定するステップを含む。
【００１１】
一実施例では、前記状況情報は目標領域におけるデバイス・アクセス・イベント情報を含み、前記デバイス・アクセス・イベント情報がデバイスの識別子及びアクセスタイミングを含み、
前記状況情報に基づいて現在シーンが所定シーン条件を満たすか否かを判定するステップは、
デバイス・アクセス・イベント情報に基づいて特定デバイスが所定の持続時間において目標領域で１回目のアクセスをしたか否かを判定するステップを含む。
【００１２】
一実施例では、前記状況情報は時間情報を含み、
前記状況情報に基づいて現在シーンが所定シーン条件を満たすか否かを判定するステップは、
時間情報に基づいて現在時間が所定時間に達したか否かを判定するステップを含む。
【００１３】
一実施例では、前記発光効果パラメータは、
発光オン・オフ・パラメータ、光点滅回数パラメータ、発光色パラメータ、及び発光強度パラメータからなる群から選ばれた少なくとも１種を含む。
【００１４】
本発明の第２の局面によれば、スマートランプの制御装置を提供し、
現在シーンの状況情報を取得するための取得モジュールと、
前記取得モジュールにより取得された状況情報に基づいて、現在シーンが所定シーン条件を満たすか否かを判定するための判定モジュールと、
前記判定モジュールは現在シーンが前記所定シーン条件を満たすと判定した場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成するための生成モジュールと、
前記生成モジュールにより生成された前記発光制御指令を前記スマートランプに送信することによって、前記スマートランプに前記所定シーン条件に対応する発光効果を実現させるための送信モジュールと、を含む。
【００１５】
一実施例では、装置は、さらに、
ユーザにより設定された所定シーン条件、及び前記所定シーン条件に対応する発光効果パラメータを受信して記憶するための記憶モジュールを含む。
【００１６】
一実施例では、前記状況情報は目標連絡先の通信イベント情報を含み、
前記判定モジュールは、
通信イベント情報に基づいて、前記目標連絡先は特別な通信イベントが発生したか否かを判定するための第１の判定サブモジュールを含む。
【００１７】
一実施例では、前記目標連絡先の通信イベント情報は、前記目標連絡先が所定のネットワーク・プラットホームでコンテンツの共有を行なうこと、または、前記目標連絡先から送信された通信を受けることを含む。
【００１８】
一実施例では、前記状況情報は、目標領域における運動物体監視イベント情報を含み、
前記判定モジュールは、
運動物体監視イベント情報に基づいて、前記目標領域における運動物体の経過をモニタリングしたか否かを判定するための第２の判定サブモジュールを含む。
【００１９】
一実施例では、前記状況情報は目標領域におけるデバイス・アクセス・イベント情報を含み、前記デバイス・アクセス・イベント情報がデバイスの識別子及びアクセスタイミングを含み、
前記判定モジュールは、
デバイス・アクセス・イベント情報に基づいて、デバイスが所定の持続時間において目標領域で１回目のアクセスをしたか否かを判定するための第３の判定サブモジュールを含む。
【００２０】
一実施例では、前記状況情報は時間情報を含み、
前記判定モジュールは、
時間情報に基づいて現在時間が所定時間に達したか否かを判定するための第４の判定サブモジュールを含む。
【００２１】
一実施例では、前記発光効果パラメータは、
発光オン・オフ・パラメータ、光点滅回数パラメータ、発光色パラメータ、及び発光強度パラメータからなる群から選ばれた少なくとも１種を含む。
【００２２】
本発明の第３の局面によれば、スマートランプの制御装置を提供し、
プロセッサと、
プロセッサにより実行可能な指令を記憶するメモリと、を備え、
前記プロセッサは、
現在シーンの状況情報を取得し、
前記状況情報に基づいて現在シーンが所定シーン条件を満たすか否かを判定し、
前記現在シーンが前記所定シーン条件を満たす場合、前記所定シーン条件に基づいて予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成し、
既に生成された前記発光制御指令を前記スマートランプに送信することによって前記スマートランプに前記所定シーン条件に対応する発光効果を実現させる。
【００２３】
本発明のその他の局面は、
プロセッサに実行されることにより、前記方法を実現することを特徴とするプログラムを提供する。
【００２４】
本発明のその他の局面は、
前記プログラムが記録された記録媒体を提供する。
【発明の効果】
【００２５】
本発明の実施例に係る技術案は、以下の有益な効果を有する。シーン状况の変化に応じて対応する制御を行なうことができるため、スマートランプの制御のスマート化を実現し、スマートランプの応用範囲を拡大させる一方、本発明を用いて、スマートランプの制御は人為的な手工操作を必要としないため、スマートランプの制御の自動化を実現し、スマートランプの制御をより便利にする。
【００２６】
以上の一般的な記述及び以下の詳細な記述は、例示のものに過ぎず、本開示を限定するものではないと理解すべきである。
【図面の簡単な説明】
【００２７】
ここでの図面は、本明細書の一部として、本発明に適切な実施例を示し、明細書と合わせて本発明の原理を解釈する。
【図１】例示的な実施例におけるスマートランプの制御方法を示すフローチャートである。
【図２】例示的な実施例１におけるスマートランプの制御方法を示すフローチャートである。
【図３】例示的な実施例１におけるスマートランプの制御方法の応用シーンを示す図である。
【図４】例示的な実施例２におけるスマートランプの制御方法を示すフローチャートである。
【図５】例示的な実施例２におけるスマートランプの制御方法の応用シーンを示す図である。
【図６】例示的な実施例３におけるスマートランプの制御方法を示すフローチャートである。
【図７】例示的な実施例３におけるスマートランプの制御方法の応用シーンを示す図である。
【図８】例示的な実施例４におけるスマートランプの制御方法を示すフローチャートである。
【図９】例示的な実施例４におけるスマートランプの制御方法の応用シーンを示す図である。
【図１０】例示的な実施例におけるスマートランプの制御装置を示すブロック図である。
【図１１】例示的な実施例における他のスマートランプの制御装置を示すブロック図である。
【図１２】例示的な実施例におけるスマートランプに適用する制御装置を示すブロック図（端末装置の一般的な構造）である。
【発明を実施するための形態】
【００２８】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の方面と一致する装置及び方法の例にすぎない。
【００２９】
図１は例示的な実施例におけるスマートランプの制御方法を示すフローチャートである。該方法は、例えば、クラウドサーバー、ルーター、パーソナルコンピュータ、端末装置に用いられる。図１に示すように、該方法は以下のステップを含む。
【００３０】
ステップＳ１０１において、現在シーンの状況情報を取得する。
【００３１】
ステップＳ１０１において、他の装置から現在シーンの状況情報を取得することもできるし、ローカルから現在シーンの状況情報を取得することもできる。この点については、本発明は特に限定しない。
【００３２】
ステップＳ１０２において、状況情報に基づいて、現在シーンが所定シーン条件を満たすか否かを判定する。
【００３３】
一実施例では、上記方法はさらに、ユーザにより設定された所定シーン条件及び所定シーン条件に対応する発光効果パラメータを受信して記憶する。例を挙げて言えば、ユーザは、端末のアプリに所定シーン条件及び所定シーン条件に対応する発光効果パラメータを設定し、端末は、設定された所定シーン条件及び発光効果パラメータを送信し、端末から送信された所定シーン条件及び所定シーン条件に対応する発光効果パラメータを受信して記憶する。
【００３４】
本実施例において、他の方式にて、所定シーン条件及び所定シーン条件に対応する発光効果パラメータを得ることもできる。例えば、ローカルプロファイルを読み取って、プロファイルにおける所定シーン条件及び所定シーン条件に対応する発光効果パラメータを取得する。
【００３５】
一実施例では、状況情報は目標連絡先の通信イベント情報を含んでもよい。上記ステップＳ１０２は、通信イベント情報に基づいて目標連絡先は特別な通信イベントが生じたか否かを判定するステップを含んでもよい。
【００３６】
例を挙げて言えば、目標連絡先の通信イベント情報は、目標連絡先が所定のネットワーク・プラットホームでンテンツの共有を行うこと、又は、目標連絡先から送信された通信を受けることを含む。例えば、所定のネットワーク・プラットホームが所定のソーシャル・ネットワーキング・サイトであり、目標連絡先が所定アカウントであり、共有コンテンツが文章の発表である場合、所定シーン条件は所定のソーシャル・ネットワーキング・サイトの所定アカウントが文章を発表することとなる。ステップＳ１０１において、所定ソーシャル・ネットワーキング・サイトから送信された、所定アカウントが該ソーシャル・ネットワーキング・サイトで文章を発表するという通信イベント情報を、受信する。ステップＳ１０２において、通信イベント情報に基づいて、所定アカウントが所定ソーシャル・ネットワーキング・サイトで文章を発表したことを判定し、現在シーンの状況情報が所定シーン条件を満たすことを特定する。また、例えば、所定シーン条件は目標連絡先が通信を送信することである場合、ステップＳ１０１において、目標連絡先から送信された通信を受信したというイベント情報を取得し、ステップＳ１０２において、取得された通信イベント情報に基づいて、目標連絡先から送信された通信を受信したことを判定し、現在シーンの状況情報が所定シーン条件を満たすことを特定する。
【００３７】
一実施例では、状況情報は、目標領域における運動物体監視イベント情報を含む。上記ステップＳ１０２は、運動物体監視イベント情報に基づいて、目標領域における運動物体の経過をモニタリングしたか否かを判定する。例えば、所定シーン条件は目標領域における人の経過を検出したことである場合、ステップＳ１０１において、目標領域におけるモニターから送信された、人の経過を検出したという運動物体監視イベント情報を受信する。ステップＳ１０２において、運動物体監視イベント情報に基づいて、目標領域に人の経過をモニタリングしたことを判定し、現在シーンが所定シーン条件を満たすことを特定する。
【００３８】
一実施例では、状況情報は、目標領域における、デバイスの識別子及びアクセスタイミングを含むデバイス・アクセス・イベント情報を、含む。ステップＳ１０２は、デバイス・アクセス・イベント情報に基づいて、特定デバイスが所定の持続時間において目標領域で１回目のアクセスをしたか否かを判定する。例えば、所定シーン条件は、特定スマートブレスレットを装着するユーザが家に帰ることである場合、ステップＳ１０１において、家に位置するスマートボックスから送信された、スマートブレスレットがアクセスしたというデバイス・アクセス・イベント情報を受信し、当該デバイス・アクセス・イベント情報は、アクセスしたスマートブレスレットのＩＤ及びアクセスタイミングを含む。ステップＳ１０２において、デバイス・アクセス・イベント情報に含まれた、アクセスしたスマートブレスレットのＩＤ及びアクセスタイミングに基づいて、ユーザの装着するスマートブレスレットが所定の持続時間において家で１回目のアクセスをしたか否かを判定し、ユーザの装着するスマートブレスレットが所定の持続時間において家で１回目のアクセスをしたと判定された場合、現在シーンが所定シーン条件を満たすことを特定する。
【００３９】
一実施例では、状況情報は時間情報を含む。ステップＳ１０２は、時間情報に基づいて現在時間が所定時間に達したか否かを判定するステップを含んでもよい。
【００４０】
例を挙げて言えば、ステップＳ１０２において、デバイス・アクセス・イベント情報に基づいて、特定デバイスが所定の持続時間において目標領域で１回目のアクセスをしたと判定した後、時間情報に基づいて現在時間が所定時間に達したか否かを判定し、現在時間が所定時間に達したと判定された場合、現在シーンが所定シーン条件を満たすと特定する。
【００４１】
また、例えば、所定シーン条件は現在時間が所定時間に達することである場合、ステップＳ１０２において、時間情報に基づいて現在時間が所定時間に達したと判定された場合、現在シーンが所定シーン条件を満たすと特定する。
【００４２】
上記の実施例は例示的な説明だけであり、本実施例におけるステップＳ１０２の実現方式はこれらに限らない。
【００４３】
ステップＳ１０３において、現在シーンが所定シーン条件を満たすと特定された場合、所定シーン条件に基づいて、予め記憶された発光効果データベースを検索するとともに、所定シーン条件に対応する発光制御指令を生成する。
【００４４】
ここで、発光制御指令はスマートランプに所定発光効果を実現させるための発光効果パラメータを含み、発光効果データベースは所定シーン条件及びそれぞれの所定シーン条件に対応する発光効果パラメータを複数含む。
【００４５】
一実施例では、発光効果パラメータは、発光オン・オフのパラメータ、光点滅回数パラメータ、発光色パラメータ、及び発光強度パラメータからなる群から選ばれた少なくとも１種を含む。
【００４６】
ステップＳ１０４において、既に生成された発光制御指令をスマートランプに送信することによって、スマートランプに所定シーン条件に対応する発光効果を実現させる。
【００４７】
本発明の実施例に係る技術案は、以下の有益な効果を有する。シーン状况の変化に応じて対応する制御を行なうことができるため、スマートランプの制御のスマート化を実現し、スマートランプの応用範囲を拡大させる一方、スマートランプの制御は人為的な手工操作を必要としないため、スマートランプの制御の自動化を実現し、スマートランプの制御をより便利にする。
【００４８】
実施例１
図２は例示的な実施例１におけるスマートランプの制御方法を示すフローチャートである。図３は例示的な実施例１におけるスマートランプの制御方法の応用シーンを示す図である。図３に示すように、実施例１は以下のようなシーンに応用されている。クラウドサーバーはネットワークを介してソーシャル・ネットワーキング・サイトＢ、端末、及びスマートランプＬ１に接続されており、ユーザは端末のアプリに、アカウントＡが該ソーシャル・ネットワーキング・サイトＢで文章を発表すると、対応する発光効果パラメータがｎ１回点滅するという所定シーン条件を設定する。実施例１に関わる方法はクラウドサーバーに用いられ、以下のステップを含む。
【００４９】
ステップＳ２０１において、端末から送信された所定シーン条件及び所定シーン条件に対応する発光効果パラメータを受信して、発光効果データベースに記憶する。
【００５０】
ステップＳ２０２において、ソーシャル・ネットワーキング・サイトＢから送信された、アカウントＡがソーシャル・ネットワーキング・サイトＢで文章を発表する通信イベント情報を、受信する。
【００５１】
ステップＳ２０３において、受信された通信イベント情報に基づいて、アカウントＡはソーシャル・ネットワーキング・サイトＢで文章を発表するという通信イベントが発生したと判定し、現在シーンが所定シーン条件を満たすと特定する。
【００５２】
ステップＳ２０４において、所定シーン条件に基づいて、予め記憶された発光効果データベースを検索し、発光効果パラメータがｎ１回点滅することであると検索された場合、ｎ１回点滅する発光効果パラメータを含む発光制御指令を生成する。
【００５３】
ステップＳ２０５において、既に生成した発光制御指令をスマートランプＬ１に送信することによって、スマートランプＬ１をｎ１回点滅させる。
【００５４】
実施例１は以下のような有益な効果を有する。目標連絡先が所定ウェブサイトで文章を発表すると、スマートランプを点滅させるように制御することによって、ユーザに目標連絡先が文章を発表したことを提示でき、ユーザが目標連絡先の所定ウェブサイトで発表した文章を即時に閲覧することに役立てる。実施例１において、スマートランプの制御をウェブサイトでの文章の発表と関連付けて、スマートランプの応用範囲をさらに拡大させることができる。
【００５５】
実施例２
図４は例示的な実施例２におけるスマートランプの制御方法を示すフローチャートである。図５は例示的な実施例２におけるスマートランプの制御方法の応用シーンを示す図である。図５に示すように、実施例２は以下のシーンに応用されている。クラウドサーバーはネットワークを介してモニター、端末、及びスマートランプＬ１に接続されており、ユーザは端末のアプリに、人の経過をモニタリングすると対応するランプの発光効果としてスマートランプＬ１をｎ２回点滅させるという所定のシーンを設定する。実施例２に係わる方法はクラウドサーバーに用いられ、以下のステップを含む。
【００５６】
ステップＳ４０１において、端末から送信された所定シーン条件及び所定シーン条件に対応する発光効果パラメータを受信して、発光効果データベースに記憶する。
【００５７】
ステップＳ４０２において、目標領域に設置されているモニターから送信された運動物体監視イベント情報を受信する。
【００５８】
ステップＳ４０３において、受信された運動物体監視イベント情報に基づいて、目標領域における人の経過をモニタリングしたと判定し、現在シーンが所定シーン条件を満たすと特定する。
【００５９】
ステップＳ４０４において、所定シーン条件に基づいて、予め記憶された発光効果データベースを検索し、発光効果パラメータがｎ２回点滅すると検索された場合、ｎ２回点滅する発光効果パラメータを含む発光制御指令を生成する。
【００６０】
ステップＳ４０５において、既に生成された発光制御指令をスマートランプＬ１に送信することによって、スマートランプＬ１をｎ２回点滅させる。
【００６１】
実施例２は以下の有益な効果を有する。人の経過を検出すると、スマートランプを点滅させるよう制御することによって、人が経過する際に警報し、マートホームを実現する。
【００６２】
実施例３
図６は例示的な実施例３におけるスマートランプの制御方法を示すフローチャートである。図７は例示的な実施例３におけるスマートランプの制御方法の応用シーンを示す図である。図７に示すように、実施例３は以下のシーンに応用されている。クラウドサーバーはネットワークを介して、ブルートゥース通信装置を有するスマートボックス、端末、及びスマートランプＬ１に接続されており、スマートボックスはユーザの家に設置されてあり、ユーザは端末のアプリに、ブルートゥース通信装置を備えるスマートブレスレットＣを携帯するユーザが家に帰り、且つ、時間が所定時刻Ｔ１に達すると、対応する発光効果としてスマートランプＬ１をオンにするという所定シーン条件を設定する。実施例３に係わる方法はクラウドサーバーに用いられ、以下のステップを含む。
【００６３】
ステップＳ６０１において、端末から送信された所定シーン条件及び所定シーン条件に対応する発光効果パラメータを受信して、発光効果データベースに記憶する。
【００６４】
ステップＳ６０２において、家に設置されているスマートボックスから送信されたデバイス・アクセス・イベント情報を受信するとともに時間情報を取得する。
【００６５】
ここで、デバイス・アクセス・イベント情報は、スマートブレスレットの識別子及びアクセスタイミングを含む。
【００６６】
例を挙げて言えば、スマートブレスレットがスマートボックスに近づくと、スマートブレスレットがスマートボックスにアクセスし、スマートブレスレットの識別子、例えば、種類及び番号である識別子、及びアクセスタイミングは取得されて、スマートブレスレットの識別子及びアクセスタイミングを含むデバイス・アクセス・イベント情報は生成される。
【００６７】
ステップＳ６０３において、デバイス・アクセス・イベント情報に基づいて、スマートブレスレットＣが所定の持続時間において家で１回目のアクセスをしたか否かを判定し、スマートブレスレットＣが所定の持続時間において家で１回目のアクセスをしたと判定された場合、ステップＳ６０４を実行する。
【００６８】
ステップＳ６０４において、時間情報に基づいて現在時間が所定時間Ｔ１に達したか否かを判定し、現在時間が所定時間Ｔ１に達したと判定された場合、現在シーンが所定シーン条件を満たすと特定する。
【００６９】
ステップＳ６０５において、所定シーン条件に基づいて予め記憶された発光効果データベースを検索し、発光効果パラメータがスマートランプをオンにすることであると検索された場合、スマートランプをオンにする発光効果パラメータを含む発光制御指令を生成する。
【００７０】
ステップＳ６０６において、既に生成された発光制御指令をスマートランプＬ１に送信することによってスマートランプＬ１をオンにする。
【００７１】
実施例３は以下の有益な効果を有する。ユーザが家に帰ったと検出された場合、所定時刻にスマートランプをオンにするよう制御することができ、これにより、ユーザが家に帰った後、自動的にスマートランプをオンにして照明することができる。実施例３において、照明のスマート化を実現し、スマートホームを実現する。
【００７２】
実施例４
図８は例示的な実施例４におけるスマートランプの制御方法を示すフローチャートである。図９は例示的な実施例４におけるスマートランプの制御方法の応用シーンを示す図である。図９に示すように、実施例４は以下のシーンに応用されている。クラウドサーバーはネットワークを介して端末及びスマートランプＬ１に接続されており、ユーザは端末のアプリに、時間が所定時刻Ｔ２に達すると対応する発光効果としてスマートランプＬ１をｎ４回点滅させることであるという所定シーン条件を、設定する。実施例４に係わる方法はクラウドサーバーに用いられ、以下のステップを含む。
【００７３】
ステップＳ８０１において、端末から送信された所定シーン条件及び所定シーン条件に対応する発光効果パラメータを受信して、発光効果データベースに記憶する。
【００７４】
ステップＳ８０２において、現在時刻の時間情報を取得する。
【００７５】
ステップＳ８０３において、時間情報における時間が所定時刻Ｔ２と同じである場合、現在シーンが所定シーン条件を満たすと判定する。
【００７６】
ステップＳ８０４において、所定シーン条件に基づいて、予め記憶された発光効果データベースを検索し、発光効果パラメータがｎ４回点滅することであると検索された場合、ｎ４回点滅するという発光効果パラメータを含む発光制御指令を生成する。
【００７７】
ステップＳ８０５において、既に生成された発光制御指令をスマートランプＬ１に送信することによってスマートランプＬ１をｎ４回点滅させる。
【００７８】
実施例４は以下の有益な効果を有する。時間が所定時刻に達した場合、スマートランプを点滅させるように制御することによって、クロックの機能を実現し、スマートランプの応用範囲を更に拡大させる。
【００７９】
上記実施例１〜４において、方法がクラウドサーバーに応用されることを例として説明を行なっているが、本発明に係わる方法はこれらに限られなく、様々なデバイスに用いられる。この点については、本発明は特に規制しない。上記実施例１〜４において、発行効果が光を点滅させること、及び光をオンにすることを例として説明を行なっているが、本発明に係る発光効果はこれらに限られなく、多くの効果を含むことができる。この点については、本発明は特に規制しない。
【００８０】
なお、複数の所定シーン条件を同時に設定してもよい。本発明に係わる方法は次のように実現可能である。現在シーンの状況情報を取得し、状況情報に基づいて現在シーンが所定シーン条件を満たすか否かを判定し、現在シーンが前記所定シーン条件を満たすと判定された場合、その満たす所定シーン条件に対応する発光効果に基づいてスマートランプを制御する。
【００８１】
図１０は、例示的な実施例におけるスマートランプの制御装置を示すブロック図である。装置は、
現在シーンの状況情報を取得するように構成される取得モジュール１０１と、
取得モジュール１０１の取得した状況情報に基づいて、現在シーンが所定シーン条件を満たすか否かを判定するように構成される判定モジュール１０２と、
判定モジュール１０２が現在シーンが前記所定シーン条件を満たすと判定した場合、所定シーン条件に基づいて、予め記憶された発光効果データベースを検索するとともに所定シーン条件に対応する発光制御指令を生成するように構成される生成モジュール１０３と、を含む。
【００８２】
ここで、発光制御指令はスマートランプに所定発光効果を実現させるための発光効果パラメータを含み、発光効果データベースは所定シーン条件およびそれぞれの所定シーン条件に対応する発光効果パラメータを複数含む。
【００８３】
送信モジュール１０４は、生成モジュール１０３により生成された発光制御指令をスマートランプに送信することによって、スマートランプに所定シーン条件に対応する発光効果を実現させるように構成される。
【００８４】
一実施例では、図１１に示すように、装置はさらに、
ユーザにより設定される所定シーン条件及び所定シーン条件に対応する発光効果パラメータを受信して記憶するように構成される記憶モジュール１１１を含む。
【００８５】
一実施例では、状況情報は目標連絡先の通信イベント情報を含んでもよい。
【００８６】
判定モジュールは、
通信イベント情報に基づいて、目標連絡先は特別な通信イベントが発生したか否かを判定するように構成される第１の判定サブモジュールを含んでもよい。
【００８７】
一実施例では、目標連絡先の通信イベント情報は、目標連絡先が所定のネットワーク・プラットホームでコンテンツの共有を行なうこと、または、目標連絡先から送信された通信を受けることを含んでもよい。
【００８８】
一実施例では、状況情報は、目標領域における運動物体監視イベント情報を含んでもよい。
【００８９】
判定モジュールは、
運動物体監視イベント情報に基づいて目標領域における運動物体の経過をモニタリングしたか否かを判定するように構成される第２の判定サブモジュールを含んでもよい。
【００９０】
一実施例では、状況情報は、目標領域における、デバイスの識別子及びアクセスタイミングを含むデバイス・アクセス・イベント情報を含んでもよい。
【００９１】
判定モジュールは、
デバイス・アクセス・イベント情報に基づいて、特定デバイスが所定の持続時間において目標領域で１回目のアクセスをしたか否かを判定するように構成される第３の判定サブモジュールを含んでもよい。
【００９２】
一実施例では、状況情報は時間情報を含んでもよい。
【００９３】
判定モジュールは、
時間情報に基づいて現在時間が所定時間に達したか否かを判定するように構成される第４の判定サブモジュールを含んでもよい。
【００９４】
一実施例では、発光効果パラメータは、
発光オン・オフ・パラメータ、光点滅回数パラメータ、発光色パラメータ、及び発光強度パラメータからなる群から選ばれた少なくとも１種を含んでもよい。
【００９５】
本発明の実施例に係る技術案は以下の有益な効果を有する。シーン状况の変化に応じて対応する制御を行なうことができるため、スマートランプの制御のスマート化を実現し、スマートランプの応用範囲を拡大させる一方、本発明を用いて、スマートランプの制御は人為的な手工操作を必要としないため、スマートランプの制御の自動化を実現し、スマートランプの制御をより便利にする。
【００９６】
上記実施例に係る装置に関しては、その各モジュールが操作を実行する具体的な方式は既に該方法に係る実施例において詳細に記載されているので、ここに詳細に説明しない。
【００９７】
図１２は例示的な実施例におけるスマートランプの制御装置１２００を示すブロック図であり、該装置は端末装置に適用している。例えば、装置１２００は携帯電話、コンピュータ、デジタル放送端末、メッセージ受発信手段、ゲームコンソール、タブレットデバイス、医療機器、フィットネス機器、パーソナルデジタルアシスタント等であってもよい。
【００９８】
図１２を参照して、装置１２００は、処理アセンブリ１２０２、メモリ１２０４、電源アセンブリ１２０６、マルチメディアアセンブリ１２０８、オーディオアセンブリ１２１０、Ｉ／Ｏインターフェイス（入力／出力インターフェース）１２１２、センサアセンブリ１２１４、及び通信アセンブリ１２１６のような一つ以上のアセンブリを含んでよい。
【００９９】
処理アセンブリ１２０２は、一般的には装置１２００の全体の操作を制御するものであり、例えば、表示、電話呼び出し、データ通信、カメラ操作、及び記録操作と関連する操作を制御する。処理アセンブリ１２０２は、一つ以上のプロセッサ１２２０を含み、これらによって命令を実行することにより、上記方法の全部、或は一部のステップを実現するようにしてもよい。なお、処理アセンブリ１２０２は、一つ以上のモジュールを含み、これらによって処理アセンブリ１２０２と他のアセンブリの間のインタラクションを容易にするようにしてもよい。例えば、処理アセンブリ１２０２は、マルチメディアモジュールを含み、これらによってマルチメディアアセンブリ１２０８と処理アセンブリ１２０２の間のインタラクションを容易にするようにしてもよい。
【０１００】
メモリ１２０４は、各種類のデータを記憶することにより装置１２００の操作を支援するように構成される。これらのデータの例は、装置１２００において操作されるいずれのアプリケーションプログラム又は方法の命令、連絡対象データ、電話帳データ、メッセージ、画像、ビデオ等を含む。メモリ１２０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１０１】
電源アセンブリ１２０６は、装置１２００の多様なアセンブリに電力を供給する。電源アセンブリ１２０６は、電源管理システム、一つ以上の電源、及び装置１２００のための電力の生成、管理及び割り当てに関連する他のアセンブリを含んでもよい。
【０１０２】
マルチメディアアセンブリ１２０８は、前記装置１２００とユーザの間に一つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記実施例において、マルチメディアアセンブリ１２０８は、一つのフロントカメラ、及び／又はリアーカメラを含む。装置１２００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変焦点距離と光学ズーム機能を有するものであってもよい。
【０１０３】
オーディオアセンブリ１２１０は、オーディオ信号をインターフェースするように構成されてもよい。例えば、オーディオアセンブリ１２１０は、一つのマイク（ＭＩＣ）を含み、装置１２００、例えば呼出しモード、記録モード、及び音声認識モード等の操作モードにある場合、マイクは外部のオーディオ信号を受信することができる。受信されたオーディオ信号は、さらにメモリ１２０４に記憶されたり、通信アセンブリ１２１６を介して送信されたりされる。上記実施例において、オーディオアセンブリ１２１０は、オーディオ信号を出力するための一つのスピーカーをさらに含む。
【０１０４】
Ｉ／Ｏインターフェイス（入力／出力インターフェース）１２１２は、処理アセンブリ１２０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０５】
センサアセンブリ１２１４は、装置１２００に各方面の状態に対する評価を提供するための一つ以上のセンサを含む。例えば、センサアセンブリ１２１４は、装置１２００のＯＮ／ＯＦＦ状態、装置１２００のディスプレイとキーパッドのようなアセンブリの相対的な位置決めを検出できる。また、例えば、センサアセンブリ１２１４は、装置１２００、或は装置１２００の一つのアセンブリの位置変更、ユーザと装置１２００とが接触しているか否か、装置１２００の方位、又は加速／減速、装置１２００の温度の変化を検出できる。センサアセンブリ１２１４は、何れの物理的接触がない状態にて付近の物体の存在を検出するための近接センサを含んでもよい。センサアセンブリ１２１４は、撮影アプリケーションに適用するため、ＣＭＯＳ、又はＣＣＤ図像センサのような光センサを含んでもよい。上記実施例において、当該センサアセンブリ１２１４は、加速度センサ、ジャイロスコープセンサ、磁気センサ、圧力センサ、及び温度センサをさらに含んでもよい。
【０１０６】
通信アセンブリ１２１６は、装置１２００と他の機器の間に有線、又は无線形態の通信を提供する。装置１２００は、例えばＷｉＦｉ、２Ｇ、３Ｇ、或はこれらの組み合わせのような、通信規格に基づいた无線ネットワークに接続されてもよい。一つの例示的な実施例において、通信アセンブリ１２１６は、放送チャンネルを介して外部の放送管理システムからの放送信号、又は放送に関連する情報を受信する。一つの例示的な実施例において、前記通信アセンブリ１２１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１０７】
例示的な実施例において、装置１２００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１０８】
例示的な実施例において、さらに、命令を含む非一時的なコンピュータで読み取り可能な記憶媒体、例えば命令を含むメモリ１２０４を提供しており、装置１２００のプロセッサ１２２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ  ＲＯＭ）、磁気テープ、フロッピーディスク、光データ記憶デバイス等である。
【０１０９】
スマートランプの制御装置であって、
プロセッサと、
プロセッサにより実行可能な指令を記憶するメモリと、を備え、
前記プロセッサは、
現在シーンの状況情報を取得し、
前記状況情報に基づいて現在シーンが所定シーン条件を満たすか否かを判定し、
前記現在シーンが前記所定シーン条件を満たす場合、前記所定シーン条件に基づいて予め記憶された、所定シーン条件およびそれぞれの所定シーン条件に対応する発光効果パラメータを複数含む発光効果データベースを検索するとともに、前記所定シーン条件に対応する、前記スマートランプに所定発光効果を達成させるための発光効果パラメータを含む発光制御指令を生成し、
既に生成された前記発光制御指令を前記スマートランプに送信することによって、前記スマートランプに前記所定シーン条件に対応する発光効果を達成させる。
【０１１０】
該プロセッサは、さらに、
ユーザにより設定された所定シーン条件、及び前記所定シーン条件に対応する発光効果パラメータを受信して記憶するように構成されている。
【０１１１】
前記状況情報は目標連絡先の通信イベント情報を含む。
【０１１２】
該プロセッサは、通信イベント情報に基づいて前記目標連絡先は特別な通信イベントが発生したか否かを判定するように構成されてもよい。
【０１１３】
前記状況情報は、目標領域における運動物体監視イベント情報を含む。
【０１１４】
該プロセッサは、運動物体監視イベント情報に基づいて、前記目標領域における運動物体の経過をモニタリングしたか否かを判定するように構成されてもよい。
【０１１５】
前記状況情報は、目標領域におけるデバイス・アクセス・イベント情報を含み、前記デバイス・アクセス・イベント情報がデバイスの識別子及びアクセスタイミングを含む。
【０１１６】
該プロセッサは、デバイス・アクセス・イベント情報に基づいて、特定デバイスが所定の持続時間において目標領域で１回目のアクセスをしたか否かを判定するように構成されてもよい。
【０１１７】
前記状況情報は時間情報を含む。
【０１１８】
該プロセッサは、時間情報に基づいて現在時間が所定時間に達したか否かを判定するように構成されてもよい。
【０１１９】
非一時的なコンピュータで読み取り可能な記憶媒体は、前記記録媒体のコマンドがモバイル端末のプロセッサによって実行される際に、モバイル端末にスマートランプの制御方法を実行させることができる。前記方法は、
現在シーンの状況情報を取得するステップと、
前記状況情報に基づいて現在シーンが所定シーン条件を満たすか否かを判定するステップと、
前記現在シーンが前記所定シーン条件を満たす場合、前記所定シーン条件に基づいて、予め記憶された、所定シーン条件及びそれぞれの所定シーン条件に対応する発光効果パラメータを複数含む発光効果データベースを検索するとともに、前記所定シーン条件に対応する、前記スマートランプに所定発光効果を実現させるための発光効果パラメータを含む発光制御指令を生成するステップと、
既に生成された前記発光制御指令を前記スマートランプに送信することによって、前記スマートランプに前記所定シーン条件に対応する発光効果を実現させるステップと、を含む。
【０１２０】
前記方法は、さらに、
ユーザにより設定された所定シーン条件、及び前記所定シーン条件に対応する発光効果パラメータを受信して記憶するステップを含む。
【０１２１】
前記状況情報は、目標連絡先の通信イベント情報を含む。
【０１２２】
前記状況情報に基づいて現在シーンが所定シーン条件を満たすか否かを判定するステップは、
通信イベント情報に基づいて前記目標連絡先は特別な通信イベントが発生したか否かを判定するステップを含んでもよい。
【０１２３】
前記目標連絡先の通信イベント情報は、前記目標連絡先が所定のネットワーク・プラットホームでコンテンツの共有を行なうこと、または、前記目標連絡先から送信された通信を受信することを含んでもよい。
【０１２４】
前記状況情報は、目標領域における運動物体監視イベント情報を含む。
【０１２５】
前記根据前記状況情報に基づいて現在シーンが所定シーン条件を満たすか否かを判定するステップは、
運動物体監視イベント情報に基づいて、前記目標領域における運動物体の経過をモニタリングしたか否かを判定するステップを含む。
【０１２６】
前記状況情報は、目標領域におけるデバイス・アクセス・イベント情報を含んでもよく、前記デバイス・アクセス・イベント情報がデバイスの識別子とアクセスタイミングを含んでもよい。
【０１２７】
前記状況情報に基づいて現在シーンが所定シーン条件を満たすか否かを判定するステップは、
デバイス・アクセス・イベント情報に基づいて特定デバイスが所定の持続時間において目標領域で１回目のアクセスをしたか否かを判定するステップを含む。
【０１２８】
前記状況情報は時間情報を含んでもよい。
【０１２９】
前記状況情報に基づいて現在シーンが所定シーン条件を満たすか否かを判定するステップは、
時間情報は現在時間が所定時間に達したか否かを判定するステップを含んでもよい。
【０１３０】
前記発光効果パラメータは、
発光オン・オフ・パラメータ、光点滅回数パラメータ、発光色パラメータ、及び発光強度パラメータからなる群から選ばれた少なくとも１種を含む。
【０１３１】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３２】
本発明は、上記において開示された構成又は図面に示した構造に限定されるものではなく、本発明の範囲内であれば、様々な補正又は変更を行うことができる。本発明の範囲は、特許請求の範囲により制限される。
【国際調査報告】
2017500823.tif 000015
2017500823.tif 000016
2017500823.tif 000017
2017500823.tif 000018
2017500823.tif 000019
2017500823.tif 000020